(57)【要約】【課題】簡便な構成で、省スペース化を実現することができるレンズバリア機構、及び撮像装置を提供する。【解決手段】  本発明にかかるレンズバリア機構は、レンズ６を覆う閉状態からレンズ６が露出した開状態へ切り替わるレンズバリア機構であって、レンズ６の光軸に垂直な平面において、レンズ６からずれて配置されたソレノイドアクチュエータ８０と、ソレノイドアクチュエータ８０と連結され、ソレノイドアクチュエータ８０が動作すると回転軸周りに回転するアーム９０と、レンズ６の前面側でレンズ６を覆った状態から、アーム９０の回転動作によってソレノイドアクチュエータ８０側に回転する第１〜第３の羽根２０、３０、４０と、を備えたものである。【選択図】図３
2013113951.tif 000002
【特許請求の範囲】
【請求項１】
レンズを覆う閉状態から前記レンズが露出した開状態へ切り替わるレンズバリア機構であって、
前記レンズの光軸に垂直な平面において、前記レンズの光軸からずれて配置されたソレノイドアクチュエータと、
前記ソレノイドアクチュエータと連結され、前記ソレノイドアクチュエータが動作すると、回転軸周りに回転するアームと、
前記レンズの前面側で前記レンズを覆った状態から、前記アームの回転動作によって前記ソレノイドアクチュエータ側に回転する複数の羽根と、を備えたレンズバリア機構。
【請求項２】
前記アームの回転軸が設けられた一端と反対側の他端に取り付けられ、前記アームの回転動作によって移動するノブをさらに備え、
前記ノブが操作部を有していることを特徴とする請求項１に記載のレンズバリア機構。
【請求項３】
前記閉状態から前記開状態に移行する際に前記ノブが直動する方向に前記ノブを付勢する第１の弾性体を備え、
前記ソレノイドアクチュエータが動作すると、前記第１の弾性体が前記ノブを直動させ、
前記ノブが直動することで、前記アームが回転する請求項１、又は２に記載のレンズバリア機構。
【請求項４】
前記レンズの光軸と垂直な平面内において、前記ノブが前記ソレノイドアクチュエータの直動方向と直交する方向にスライド移動することを特徴とする請求項２、又は３に記載のレンズバリア機構。
【請求項５】
前記閉状態において、前記複数の羽根を前記ソレノイドアクチュエータと反対側に付勢する第２の弾性体が前記ノブに取り付けられていることを特徴とする請求項２〜請求項４のいずれか１項に記載のレンズバリア機構。
【請求項６】
前記操作部に外力が加わることにより、前記ノブが移動することで、前記開状態から前記閉状態へと切り替わることを特徴とする請求項２〜５のいずれか１項に記載のレンズバリア機構。
【請求項７】
前記ソレノイドアクチュエータが前記レンズの下側に配置されていることを特徴とする請求項１乃至６のいずれか１項に記載のレンズバリア機構。
【請求項８】
請求項１乃至７のいずれか１項に記載のレンズバリア機構と、
前記レンズバリア機構によって前面が覆われるレンズを有する本体部と、を備えた撮像装置。
【発明の詳細な説明】
【技術分野】
【０００１】
本発明は、レンズバリア機構、及び撮像装置に関するものである。
【背景技術】
【０００２】
デジタルカメラなどの撮像装置では、不使用時にレンズを保護するために、レンズをカバーするレンズバリア機構が設けられている。例えば、特許文献１には、複数のバリアを有するレンズバリアユニットが開示されている。特許文献１では、球面形状の複数のバリアを回転させることで、レンズの前の開口部を開閉している。
【先行技術文献】
【特許文献】
【０００３】
【特許文献１】特開２０１１−１１８３７８号公報
【発明の概要】
【発明が解決しようとする課題】
【０００４】
しかしながら、特許文献１に記載のレンズバリアユニットでは、以下に示す問題点がある。複数のバリアの回動軸心を回転させるために、モータを用いている。モータの回転軸は、バリアの回動軸心と、ギアなどを介して連結されている。そして、レンズ鏡筒の下側に、モータを配置しているが、このレンズ鏡筒の下側において、モータ、及びその力を伝達するギア等の伝達機構を配置するためのスペースが必要になってしまう。特に、モータやギアの回転軸をレンズの光軸と平行に配置しているため、光軸方向における収納スペースの小型化が困難になってしまう。
【０００５】
すなわち、回転軸が光軸方向に沿って配置されるように、レンズ鏡筒の下側のスペースに、モータ及び伝達機構を収納しなければならない。従って、モータ、及び伝達機構を収納するために、レンズ鏡筒の下側のスペースを光軸方向に小型化することが困難になってしまう。従って、レンズ鏡筒の下側に配線基板やスロット等の部品を配置するためのスペースを確保することが困難という問題点がある。
【０００６】
本発明は、上記の課題に鑑みてなされたものであり、省スペース化を実現することができるレンズバリア機構、及び撮像装置を提供することを目的とする
【課題を解決するための手段】
【０００７】
本発明の一態様に係るレンズバリア機構（レンズバリア１０）は、レンズ（６）を覆う閉状態から前記レンズ（６）が露出した開状態へ切り替わるレンズバリア機構（レンズバリア１０）であって、前記レンズ（６）の光軸に垂直な平面において、前記レンズ（６）の光軸からずれて配置されたソレノイドアクチュエータ（８０）と、前記ソレノイドアクチュエータ（８０）と連結され、前記ソレノイドアクチュエータ（８０）が動作すると、回転軸周りに回転するアーム（９０）と、前記レンズ（６）の前面側で前記レンズ（６）を覆った状態から、前記アーム（９０）の回転動作によって前記ソレノイドアクチュエータ（８０）側に回転する複数の羽根（２０、３０、４０）と、を備えたものである。
上記のレンズバリア機構（レンズバリア１０）は、前記アーム（９０）の回転軸が設けられた一端と反対側の他端に取り付けられ、前記アーム（９０）の回転動作によって移動するノブ（５０）をさらに備え、前記ノブ（５０）が前記操作部（突片５１）を有していてもよい。
上記のレンズバリア機構（レンズバリア１０）は、前記閉状態から前記開状態に移行する際に前記ノブ（５０）が直動する方向に前記ノブ（５０）を付勢する第１の弾性体（テンションバネ６０）を備え、前記ソレノイドアクチュエータ（８０）が動作すると、前記第１の弾性体が前記ノブ（５０）を直動させ、前記ノブ（５０）が直動することで、前記アーム（９０）が回転してもよい。
前記レンズ（６）の光軸と垂直な平面内において、前記ノブ（５０）が前記ソレノイドアクチュエータ（８０）の直動方向と直交する方向に直動してもよい。
また、前記閉状態において、前記複数の羽根を前記ソレノイドアクチュエータ（８０）と反対側に付勢する第２の弾性体（トーションスプリング６１）が前記ノブに取り付けられていてもよい。
前記操作部（突片５１）に外力が加わることにより前記ノブ（５０）が移動することで、前記開状態から前記閉状態へと切り替わるようにしてもよい。
前記ソレノイドアクチュエータ（８０）が前記レンズ（６）の下側に配置されていてもよい。
本発明の一態様に係る撮像装置（撮像装置１００）は、上記のレンズバリア機構（レンズバリア１０）と、前記レンズバリア機構（レンズバリア１０）によって前面が覆われるレンズを有する本体部（５）と、を備えたものである。
【発明の効果】
【０００８】
以上のように、本発明によれば、簡便な構成で、省スペース化を実現することができるレンズバリア機構、及び撮像装置を提供することができる。
【図面の簡単な説明】
【０００９】
【図１】レンズバリア機構が閉状態となっている撮像装置の全体的な構成を示す斜視図である。
【図２】レンズバリア機構が開状態となっている撮像装置の全体的な構成を示す斜視図である。
【図３】レンズバリア機構の構成を示す分解斜視図である。
【図４】レンズバリア機構に用いられる第１の羽根の構成を示す平面図である。
【図５】レンズバリア機構に用いられる第２の羽根の構成を示す平面図である。
【図６】レンズバリア機構に用いられる第３の羽根の構成を示す平面図である。
【図７】レンズバリア機構に用いられるノブの構成を示す平面図である。
【図８】レンズバリア機構に用いられるソレノイドアクチュエータの構成を示す平面図である。
【図９】レンズバリア機構に用いられるアームの構成を示す平面図である。
【図１０】閉状態となっているレンズバリア機構の構成を模式的に示す正面図である。
【図１１】閉状態となっているレンズバリア機構の構成を模式的に示す背面図である。
【図１２】開状態となっているレンズバリア機構の構成を模式的に示す背面図である。
【図１３】閉状態となっているレンズバリア機構の構成を模式的に示す側面断面図である。
【図１４】開状態となっているレンズバリア機構の構成を模式的に示す側面断面図である。
【発明を実施するための形態】
【００１０】
以下、図面を参照して本発明の実施の形態について説明する。図１、図２は、本実施の形態に係る撮像装置１００の全体的な構成を示す斜視図である。図１では、レンズバリア機構が閉状態となっており、図２では、レンズバリア機構が開状態となっている。以下の説明では、説明の明確化のため、図に示すようなｘｙｚ直交座標系を用いて、説明を行う。
【００１１】
ここでは、ｘ軸が、撮像装置１００の前後方向を示し、ｙ軸が撮像装置１００の上下方向（鉛直方向）を示し、ｚ軸が撮像装置１００の左右方向（横方向）を示している。すなわち、ｘ方向が、撮像装置１００に設けられたレンズの光軸に平行な方向であり、ｙ方向、及びｚ方向が撮像装置１００に設けられたレンズの光軸と垂直な方向である。さらに、撮像装置１００を把持するユーザを基準に方向を特定する。すなわち、＋ｘ側が後方側、−ｘ側が前方側、＋ｙ側が上方側、−ｙ側が下方側、＋ｚ側が左側、−ｚ側が右側とする。もちろん、上記の方向は、相対的なものであり、撮像装置１００の向きに応じて変化する。
【００１２】
（全体構成）
図１、図２に示すように、撮像装置１００は、本体ケース１、モニタ部３、ヒンジ４、レンズバリア１０を有している。本体ケース１の前端には、レンズバリア１０のフロントカバー２が取り付けられている。フロントカバー２を本体ケース１に取り付けることによって、フロントカバー２と本体ケース１の間に、レンズバリア１０の各構成部品が収納される。図１では、レンズバリア１０が閉状態となっているため、フロントカバー２に設けられた開口部２ａにおいて、複数の羽根がレンズ６を覆っている。なお、開口部２ａは、矩形状に設けられている。
【００１３】
また、本体ケース１の左側面には、モニタ部３が設けられている。モニタ部３は、本体ケース１に対して、ヒンジ４を介して接続されている。モニタ部３は、被写体、記憶された画像データ、設定情報、その他の情報を表示する液晶ディスプレイなどを有している。例えば、ユーザが撮像を行うために、モニタ部３を開くことで、電源がオン状態となる。これにより、図２に示すように、レンズバリア１０が開状態となる。レンズバリア１０が開状態となると、フロントカバー２に設けられた開口部２ａを通じて、レンズ６が露出する。これにより、撮像装置１００が、撮像可能な状態となる。なお、モニタ部３を開いた状態では、モニタ部３のモニタは、後方側、すなわちユーザ側を向いて配置されている。
【００１４】
レンズ６は、外部の光を撮像装置１００内の撮像素子に導くものである。また、本体ケース１には、撮像素子、操作部、及びバッテリ等が配置されている。撮像装置１００は、レンズ６を通して伝播してきた光を受光して、被写体を撮像する。操作部は、ボタン、レバー等からなり、シャッター操作、録画、再生、停止、早送り、巻き戻し、一時停止、データ消去、その他の各種命令に応じた操作を受け付ける。タッチパネル機能を備える場合には、モニタ部３のディスプレイが操作部の一部となる。バッテリは、撮像装置１００のモニタ部３や撮像素子に電源を供給する
【００１５】
次に、レンズバリア１０について、図３を用いて説明する。図３は、レンズバリア１０の構成を示す。レンズバリア１０は、フロントカバー２、第１の羽根２０、第２の羽根３０、第３の羽根４０、ノブ５０、テンションスプリング６０、トーションスプリング６１、リアカバー７０、ソレノイドアクチュエータ８０、及びアーム９０を備えている。そして、レンズバリア１０は、本体ケース１に取り付けられる。例えば、ネジなどを用いて、フロントカバー２、又はリアカバー７０を本体ケース１等に取り付ける。こうすることで、レンズバリア１０が、本体ケース１に取り付けられることになる。第１の羽根２０、第２の羽根３０、第３の羽根４０、ノブ５０、テンションスプリング６０、トーションスプリング６１、リアカバー７０、ソレノイドアクチュエータ８０は、直接、又は他の構成部品を介して、フロントカバー２又はリアカバー７０に取り付けられる。
【００１６】
本実施の形態では、第１の羽根２０、第２の羽根３０、及び第３の羽根４０を有する３枚羽根のレンズバリア１０について説明する。なお、レンズバリア１０に設けられた羽根の数は、３枚に限られるものではない。例えば、複数の羽根を有するレンズバリア１０について、本発明は適用可能である。
【００１７】
第１の羽根２０、第２の羽根３０、及び第３の羽根４０は、リアカバー７０と、フロントカバー２との間に配置されている。リアカバー７０には、レンズ６を露出させるために、略円形の開口部７０ａが設けられている。すなわち、ｙｚ平面において、リアカバー７０の開口部７０ａと、フロントカバー２の開口部２ａとが重複するように配置され、この重複位置の後方にレンズ６が配置されている。第１の羽根２０は、前側、すなわち、被写体側に配置され、第３の羽根４０は、後側、すなわち、レンズ６側に配置され、第２の羽根３０は、第１の羽根２０と第３の羽根の間に配置されている。
【００１８】
フロントカバー２には、第１の羽根２０、第２の羽根３０、及び第３の羽根４０の回動軸心２ｂが設けられている。回動軸心２ｂは、フロントカバー２の背面側から後方に突出している軸心である。第１の羽根２０、第２の羽根３０、及び第３の羽根４０は、ｚ方向に平行な回動軸心２ｂ周りに、回動可能に設けられている。すなわち、フロントカバー２は、第１の羽根２０、第２の羽根３０、及び第３の羽根４０を回動可能に保持している。
【００１９】
ソレノイドアクチュエータ８０は、第１の羽根２０、第２の羽根３０、及び第３の羽根４０を回動させるために動作する。ソレノイドアクチュエータ８０は、リアカバー７０の後方に配置され、リアカバー７０に固定されている。ｙｚ平面視において、ソレノイドアクチュエータ８０は、レンズ３から、ずれて配置されている。すなわち、ソレノイドアクチュエータ８０は、レンズ３に向かう光線の光路を妨げないように、開口部７０ａの外側に配置されている。換言すると、ｙｚ平面視において、ソレノイドアクチュエータ８０は、レンズ３の有効領域に重複しないように配置されている。ソレノイドアクチュエータ８０は、アーム９０に取り付けられている。ソレノイドアクチュエータ８０には電流を供給するための配線８５が接続されている。従って、ソレノイドアクチュエータ８０に電流を供給することで、アーム９０が回動可能な状態になる。アーム９０はノブ５０に取り付けられている。後述するようにノブ５０がテンションバネ６０によって直動すると、アーム９０が回転する。ノブ５０は、リアカバー７０の側方に配置されている。
【００２０】
ソレノイドアクチュエータ８０は、アーム９０、及びノブ５０を介して、第１の羽根２０、第２の羽根３０、及び第３の羽根４０を動作させるために設けられている。第１の羽根２０、第２の羽根３０、及び第３の羽根４０が、回動軸心２ｂ周りに回動することで、レンズバリア１０が閉状態から開状態へと切り替わる。すなわち、ソレノイドアクチュエータ８０を動作させることで、アーム９０が停止した保持状態から回転可能な状態に移行する。これにより、レンズ６を覆っている第１の羽根２０、第２の羽根３０、及び第３の羽根４０が回動して、レンズ６が露出する。この動作については後述する。
【００２１】
閉状態から開状態に移行する場合、第１の羽根２０、第２の羽根３０、及び第３の羽根４０は、レンズ６の下側（−Ｙ方向）にずれるように、回動する。ここで、リアカバー７０の開口部７０ａの下側を収納部７１とし、フロントカバー２の開口部２ａの下側を収納部２ｃとする。開状態において、第１の羽根２０、第２の羽根３０、及び第３の羽根４０は、収納部７１と収納部２ｃの間の空間に収納される。
【００２２】
第１の弾性体であるテンションスプリング６０の上端はノブ５０に取り付けられ、下端はリアカバー７０に取り付けられている。そして、テンションスプリング６０は、ノブ５０を、下方向（−ｙ方向）に付勢している。閉状態では、ソレノイドアクチュエータ８０がアーム９０を保持し、アーム９０がノブ５０を固定する。
【００２３】
また、第２の弾性体であるトーションスプリング６１の一端は、第３の羽根４０に取り付けられ、他端はノブ５０に取り付けられている。そして、閉状態において、トーションスプリング６１は第３の羽根４０を上方向（＋ｙ方向）に付勢する。これにより、閉状態において、第１の羽根２０、第２の羽根３０、及び第３の羽根４０がガタつくことを防ぐことができる。これにより、確実にレンズ６を覆うことができる。
【００２４】
以下、レンズバリア１０の構成部品について、図４〜図９を用いて説明する。図４〜図９は、各構成部品を後側から見た平面図である。
（第１の羽根２０）
第１の羽根２０は、平板上の羽根であり、図４に示すように、回動軸穴２１が形成されている。回動軸穴２１に上述した回動軸心２ｂが挿入される。従って、回動軸穴２１に挿入された回動軸心２ｂ周りに第１の羽根２０が回動する。さらに、第１の羽根２０には、貫通溝２２、及び貫通溝２３が設けられている。貫通溝２２、及び貫通溝２３は、それぞれ、回動軸穴２１を中心とする円弧に沿って、一定の幅で形成されている。後述するように、貫通溝２２には、第２の羽根２０に設けられた連動突起３２が挿入される。貫通溝２３には、フロントカバー２の裏面側から後側に突出して設けられたボス（図３では不図示）が挿入される。これにより、第１の羽根２０の回動角度が規制される。すなわち、貫通溝２３の内壁とフロントカバー２のボスとが当接することで、第１の羽根２０が一定角度以上、上下方向に回動するのを防ぐことができる。
【００２５】
（第２の羽根３０）
第２の羽根３０は、平板状の羽根であり、図５に示すように、回動軸穴３１、連動突起３２、及び切欠３３が形成されている。回動軸穴３１に、上述した回動軸心２ｂが挿入される。従って、回動軸穴３１に挿入された回動軸心２ｂ周りに第２の羽根４０が回動する。さらに、第２の羽根３０には、後側（＋ｘ方向）と前側（−ｘ方向）に突出した連動突起３２が形成されている。後側（＋ｘ方向）に突出した連動突起３２が後述する第３の羽根４０に挿入される。前側（−ｘ方向）に突出した連動突起３２は、上述したように、第１の羽根２０の貫通溝２２に挿入される。よって、第２の羽根３０が回動して、連動突起３２が貫通溝２２の内壁に当接すると、第２の羽根３０の回動に連動して、第１の羽根２０が回動する。
【００２６】
切欠３３には、フロントカバー２の裏面から後側に突出して設けられたボス（不図示）が挿入される。これにより、第２の羽根３０の回動角度が規制される。すなわち、切欠３３の内壁とフロントカバー２のボス（不図示）とが当接することで、第２の羽根３０が一定角度以上、下方向に回動するのを防ぐことができる。なお、貫通溝２３と切欠３３には、同じボスが挿入される。
【００２７】
（第３の羽根４０）
第３の羽根４０は、平板状の羽根であり、図６に示すように、回動軸穴４１、貫通溝４２、及び突起４３が形成されている。回動軸穴４１に、上述した回動軸心２ｂが挿入される。従って、回動軸穴４１に挿入された回動軸心２ｂ周りに第３の羽根４０が回動軸する。貫通溝４２には、第２の羽根３０の裏面側に設けられた連動突起３２が挿入される。これにより、第２の羽根２０と第１の羽根２０との連動と同様に、第３の羽根４０の回動に連動して第２の羽根３０が回動する。すわち、第３の羽根４０の貫通溝４２の内壁が、第２の羽根３０の連動突起３２と当接することで、第２の羽根３０が回動する。突起４３は、後述するようにノブ５０の切欠５２に挿入される。
【００２８】
（ノブ５０）
図７に示すように、ノブ５０は、Ｙ方向を長手方向とする部材であり、突片５１と、切欠５２と、貫通溝５３と、スライド突起５４と、ボス５５と、を備えている。貫通溝５３は、ｚ方向を長手方向とする長穴である。貫通溝５３には、後述するように、アーム９０の第２の突部９３が挿入される。貫通溝５３は、第２の突部９３をｚ方向に直動可能に保持する。従って、アーム９０を回転させるように、ノブ５０が下方向にスライド移動する。この動作については後述する。なお、アーム９０を回転させるために、テンションバネ６０がノブ５０を常時、下方向に付勢している。
【００２９】
切欠５２には、第３の羽根４０の突起４３が挿入される。切欠５２は、＋ｚ方向が開放したコの字形状に切り欠かれており、突起４３を保持する。これにより、ノブ５０のスライド移動に連動して、第３の羽根４０が回動する。すなわち、閉状態から開状態に移行する場合、ノブ５０の下方向（−ｙ方向）へのスライド移動によって、切欠５２の内壁と突起４３が当接する。こうすることで、第３の羽根４０が回動する。さらに、上述した通り、第３の羽根４０の回動に連動して、第１の羽根２０、及び第２の羽根２０が回動する。
【００３０】
スライド突起５４は、上下方向への直動をガイドするために設けられている。例えば、リアカバー７０に設けられたガイド溝にスライド突起５４が挿入されることで、ノブ５０を直線的に移動させることができる。ボス５５は、トーションスプリング６１を取り付けるために設けられている。すなわち、ボス５５が、トーションスプリング６１の巻き部に挿入される。
【００３１】
突片５１は、フロントカバー２から、横方向（右方向）に突出している。開状態から閉状態に移行させる場合、ユーザが、突片５１を操作する。すなわち、ユーザが突片５１を上方向に操作することで、ノブ５０が上方向にスライド移動する。このように突片５１は、ユーザによって操作される操作部となる。そして、突片５１に外力が加わることによって、ノブ５０が移動する。ノブ５０のスライド移動により、ノブ５０に取り付けられた第３の羽根４０も回動する。すなわち、ノブ５０の切欠５２の内壁が第３の羽根４０の突起４３と当接して、第３の羽根３０を回動させる。従って、第１の羽根２０、第２の羽根３０、及び第３の羽根４０が連動して、回動する。これにより、レンズバリア１０が開状態から閉状態になる。
【００３２】
（ソレノイドアクチュエータ８０）
図８に示すように、ソレノイドアクチュエータ８０には、可動部８１と、コイル部８２とを備えている。コイル部８２内には、ソレノイドコイル、永久磁石、可動鉄心、スプリング等が設けられている。可動部８１は、可動鉄心に取り付けられており、コイル部８２に対してスライド移動する。例えば、ソレノイドコイルに電流を供給していない状態では、コイル部８２の磁力によって、可動部８１は、所定の位置で固定された保持状態となる。すなわち、可動部８１が固定されるように、コイル部８２の永久磁石が磁力を発生している。そして、コイル部８２のソレノイドコイルに電流を供給することで、永久磁石の磁力が打ち消されるので、可動部８１が磁石から外れる。これにより、可動部８１がｚ方向にスライド可能な解除状態となる。
さらに、可動部８１の先端側には、前後方向に貫通した取付穴８３が設けられている。取付穴８３に、後述するように、アーム９０の第１の突部９２が挿入される。また、図３に示すように、ソレノイドアクチュエータ８０からは電源を供給するための配線８５が接続されている。よって、ソレノイドアクチュエータ８０に電流を供給すると、可動部８１が保持状態から移動可能な解除状態となる。ソレノイドアクチュエータ８０動作に応じて、テンションバネ６０によって付勢されているノブ５０がスライド移動すると、アーム９０が動作する。このアーム９０の動作については後述する。なお、アーム９０の回転角度が可動部８１の位置に対応するよう、アーム９０と可動部８１は連動する。
【００３３】
（アーム９０）
図９に示すように、アーム９０は、ｚ方向に延びた細長の部材であり、回転軸穴９１と、第１の突部９２と、第２の突部９３と備えている。ｚ方向において、回転軸穴９１と第１の突部９２がアーム９０の一端側に形成され、第２の突部９３が他端側に形成されている。回転軸穴９１には、フロントカバー２に螺合されるネジなどが挿入される。これにより、アーム９０がリアカバー７０に固定される。
【００３４】
第１の突部９２は、可動部８１の取付穴８３に挿入される。第２の突部９３は、ノブ５０の貫通溝５３に挿入される。従って、ソレノイドアクチュエータ８０に電流が供給されると、可動部８１が解除状態となり、アーム９０が回転可能な状態になる。すると、アーム９０に取り付けられているノブ５０もスライド移動可能になり、テンションバネ６０に付勢されているノブ５０がスライド移動する。ノブ５０がスライド移動すると、回転軸穴９１を回動中心として、アーム９０が回動する。具体的には、ノブ５０がスライド移動すると、貫通溝５３の内壁が第２の突部９３に当接する。ブ５０によってアーム９０が下方向に押されて、アーム９０が回動する。ノブ５０のスライド位置が、アーム９０の回転角度に対応するよう、ノブ５０とアーム９０とが連動する。
上述した通り、アーム９０の回動によって、第１の羽根２０、第２の羽根３０、及び第３の羽根４０が連動して回動する。このようにして、レンズバリア１０が、閉状態から開状態に移行する。後述するように、ノブ５０には、ｙ方向に直動するための力を与えるテンションバネ６０が取り付けられている。このテンションバネ６０の付勢力によって、アーム９０が回動する。
【００３５】
（レンズバリア１０の動作）
次に、レンズバリア１０の動作と、各羽根の配置について図１０〜図１４を用いて説明する。図１０は、閉状態のレンズバリア１０の構成を示す正面図であり、図１１は閉状態のレンズバリア１０の構成を示す背面図であり、図１２は、開状態のレンズバリア１０の構成を示す背面図である。図１３は、閉状態のレンズバリア１０と本体部５の構成を示す側面断面図であり、図１４は開状態のレンズバリア１０と本体部５の構成を示す側面断面図である。なお、図１０では、説明の明確化のために、フロントカバー２の後側に隠れる部分についても、適宜図示している。
【００３６】
図１０に示すように、第１の羽根２０、第２の羽根３０、及び第３の羽根４０によって、被写体側から開口部２ａを介して、レンズ６が視認できないようになっている。正面視において、第１の羽根２０と第３の羽根４０の間に第２の羽根３０が配置されるとともに、隣接する羽根の一部同士が重複するようになっている。これにより、隙間なくレンズ６を覆うことができる。
【００３７】
このとき、ソレノイドアクチュエータ８０の可動部８１は、＋ｚ側のスライド端に固定配置されている（図１１参照）。従って、アーム９０の第２の突部９３が＋ｙ側の端にあり、ノブ５０も＋ｙ側のスライド端にある。閉状態において、テンションスプリング６０は、ノブ５０を−ｙ方向に付勢している。閉状態では、ソレノイドアクチュエータ８０の磁力によって、アーム９０が固定されているため、ノブ５０もスライド端で固定された状態にある。なお、閉状態では、各羽根のガタつき防止のため、トーションスプリング６１が、第３の羽根４０を上方向に付勢している。また、ボス２ｄが貫通溝２３に当接しており、１の羽根２０、第２の羽根３０、及び第３の羽根４０の回動が規制されている。
【００３８】
ユーザが撮像を行うために、モニタ部３を開くと、撮像装置１００の電源がオン状態となり、バッテリからソレノイドアクチュエータ８０に通電される。すると、ソレノイドアクチュエータ８０の可動部８１が、スライド移動可能な状態になる。このとき、テンションバネ６０がノブ５０を付勢している。従って、テンションバネ６０の弾性力によって、アーム９０が、ノブ５０が下方向に直動するとともに、回転軸穴９１周りに回転する。なお、アーム９０の回転軸穴９１には、アーム９０をリアカバー７０に取り付けるためのネジ７２が挿入されている。ノブ５０が下方向にスライド移動することで、図１２に示すように、各羽根が回動して、開口部７０ａが開状態となる。
【００３９】
具体的には、ノブ５０の切欠５２の内壁が、突起４３と当接して、突起４３が押される。すると、第３の羽根４０が回動軸穴４１周りに回転する。そして、貫通溝４２の内壁が第２の羽根３０の背面側の連動突起３２に当接して、連動突起３２が押される。これにより、第２の羽根３０が回動軸穴３１周りに回転する。さらに、第２の羽根３０の前面側の連動突起３２が、第１の羽根２０の貫通溝２２の内壁に当接し、第１の羽根２０が押される。これにより、第１の羽根２０が回転する。このようにすることで、図１１に示す背面視において、各羽根が反時計周りに回動して、図１２に示すように閉状態となる。そして、フロントカバー２に設けられたボス２ｄ（図１０を合わせて参照）に、貫通溝２３の内壁が付き当たる位置で回動が停止する。これにより、開口部２ａ、及び開口部７０ａを介して、被写体側からレンズ６が視認できるようになる。なお、閉状態から開状態に移行すると、ノブ５０の移動に伴って、突片５１が下方向に移動する。
【００４０】
一方、開状態から閉状態に戻す場合、側方に突出したユーザが突片５１を操作する。すなわち、ユーザが突片５１を上方向（＋ｙ方向）に移動させる。これにより、ノブ５０が上方向にスライド移動する。すると、ノブ５０の切欠５２の内壁が突起４３と当接して、第３の羽根４３が回動軸穴４１周りに回動する。そして、上記と同様に第１の羽根２０、第２の羽根３０、及び第３の羽根４０が回動する。そして、図１０、図１１に示す閉状態に戻る。なお、閉状態では、テンションバネ６０によってノブ５０が下方向（−ｙ方向）付勢されているが、ソレノイドアクチュエータ８０の磁力によって、ノブ５０の位置が固定される。
【００４１】
図１３、図１４に示すように、レンズバリア１０は、本体部５の前側に配置されている。閉状態では、第１の羽根２０、第２の羽根３０、及び第３の羽根４０が、レンズ６が露出しないように、カバーしている（図１３参照）。そして、開状態に移行すると、第１の羽根２０、第２の羽根３０、及び第３の羽根４０が、その回動によって、下方向に移動する。すなわち、第１の羽根２０、第２の羽根３０、及び第３の羽根４０が、レンズ６よりも下側に移動して、レンズ６が開口部２ａ、及び開口部７０ａを介して、露出する（図１４参照）。第１の羽根２０、第２の羽根３０、及び第３の羽根４０が、収納部７１と収納部２ｃとの間の空間に収納される。
【００４２】
ｙｚ平面視において、ソレノイドアクチュエータ８０はレンズ６の光軸からずれて配置されている。さらに、ソレノイドアクチュエータ８０が、収納部７１の背面側に配置され、かつ、最も被写体側のレンズ６の直下に配置されている。従って、レンズ鏡筒５ａの下側の空間Ａを広く利用することができる。前後方向における空間Ａの幅を広く取ることができ、空間Ａに、撮像素子用の部品、インターフェース、基板等を配置することができるようになる。よって、レンズ鏡筒直下の空間Ａを有効的に利用することができ、撮像装置１００の小型化を図ることができる。
【００４３】
一方、特許文献１のように、モータを用いた場合、モータ、及び伝達機構がレンズ鏡筒の直下に配置する必要がある。この場合、レンズ鏡筒直下の空間において、前後方向にモータや機構を配置するための空間を小型化することが困難になる。特にモータの取り付け向きによって、前後方向におけるモータとレンズ鏡筒の重複部分が大きくなってしまう。しかしながら、本実施の形態では、光軸と直交する平面内の１方向（ここでは、左右方向）に直動するソレノイドアクチュエータ８０を用いて、各羽根を駆動している。このため、レンズバリア１を配置するために、レンズ鏡筒直下に必要なスペースを小型化することができる。
【００４４】
また、レンズ６を保持するレンズ鏡筒５ａの直下のスペースにソレノイドアクチュエータ８０を配置しているため、撮像装置１００をスリム化することができる。すなわち、撮像装置１００の横幅を小さくすることができる。レンズバリア１０は、ソレノイドアクチュエータ８０が動作すると、保持状態から回転可能な状態になるアーム９０と、アーム９０に連動するノブ５０を有している。これにより、簡便な機構で、第１の羽根２０、第２の羽根３０、及び第３の羽根４０を回動させることができる。
【００４５】
さらに、テンションバネ６０の駆動力を第１の羽根２０、第２の羽根３０、及び第３の羽根４０に伝達する伝達機構において、光軸方向を回転軸として回転して、力を伝達する部品の数を低減することができる。ここでは、伝達機構において、アーム９０のみが回動する構成となっている。よって、省スペース化に資することができる。さらに、ノブ５０に突片５１を設けて、ユーザがノブ５０を操作可能にしている。これにより、ユーザが容易にレンズバリア１０を手動で操作できるようになる。例えば、ユーザがノブ５０を＋ｙ方向に移動させるだけで、開状態から閉状態にすることができる。よって、半自動のレンズバリア１０を簡便な構成で実現することができる。
【００４６】
閉状態から開状態に移行する際にノブが直動する−ｙ方向にノブ５０を付勢するテンションスプリング６０が設けられている。これにより、ソレノイドアクチュエータ８０によって駆動力を発生させなくてもよくなるため、より小型のソレノイドアクチュエータ８０を用いることができる。例えば、自己保持型のソレノイドアクチュエータを用いることができる。また、ｙｚ平面内において、ソレノイドアクチュエータ８０の直動方向と、ノブ５０の直動方向を直交方向にしている。これにより、各構成部品を配置するためのスペースを小さくすることができる。よって、より省スペース化を図ることができる。第１の羽根２０、第２の羽根３０、及び第３の羽根４０をソレノイドアクチュエータ８０と反対側（＋ｙ方向）に付勢するトーションスプリングがノブ５０に取り付けられている。これにより、閉状態における羽根のガタつきを抑制することができ、確実にレンズ５をカバーすることができる。
【００４７】
さらに、ソレノイドアクチュエータ８０を前後方向に扁平させることで、空間Ａをより広く取ることができる。すなわち、レンズ鏡筒直下において、レンズバリア１０の搭載に必要なスペースをより小さくすることができ、省スペース化に資することができる。なお、上記の説明では、ソレノイドアクチュエータ８０をレンズ６の下側に配置した例について説明したが、ソレノイドアクチュエータ８０の配置場所は、レンズ６の下側に限られるものではない。例えば、レンズ６の上側、右側、及び左側のいずれか一方であってもよい。
【符号の説明】
【００４８】
１  本体ケース
２  フロントカバー
２ａ  開口部
２ｂ  回動軸心
２ｃ  収納部
２ｄ  ボス
３  モニタ部
４  ヒンジ
５  本体部
６  レンズ
１０  レンズバリア
２０  第１の羽根
２１  回動軸穴
２２  貫通溝
２３  貫通溝
３０  第２の羽根
３１  回動軸穴
３２  連動軸心
４０  第３の羽根
４１  回動軸穴
４２  貫通溝
４３  突起
５０  ノブ
５１  突片
５２  切欠５２
５３  貫通溝５３
５４  スライド突起
５５  ボス
６０  テンションバネ
６１  トーションスプリング
７０  リアカバー
７０ａ  開口部
７１  収納部
８０  ソレノイドアクチュエータ
８１  コイル部
８２  可動鉄心
８３  取付穴
８５  配線
９０  アーム
９１  回動軸穴
９２  第１の突部
９３  第２の突部
１００  撮像装置
【図１】
2013113951.tif 000003
【図２】
2013113951.tif 000004
【図３】
2013113951.tif 000005
【図４】
2013113951.tif 000006
【図５】
2013113951.tif 000007
【図６】
2013113951.tif 000008
【図７】
2013113951.tif 000009
【図８】
2013113951.tif 000010
【図９】
2013113951.tif 000011
【図１０】
2013113951.tif 000012
【図１１】
2013113951.tif 000013
【図１２】
2013113951.tif 000014
【図１３】
2013113951.tif 000015
【図１４】
2013113951.tif 000016